【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
純粋なリン酸アンモニウムの製造装置（１００）であって、前記装置は、
リン酸を含み本質的に硝酸イオンを含まない供給液（１）と、２％未満の及び好ましくは１％未満の水溶解度を有する溶媒（５）との間の、リン酸塩の液−液抽出を実施するように構成される抽出セクション（１０）であって、前記供給液（１）を提供するための第１の抽出入口（１１）、前記溶媒（５）を提供するための第２の抽出入口（１３）、リン酸塩が少なくとも部分的に消費された前記供給液（２）を送るための第１の抽出出口（１２）、及びリン酸塩が負荷された前記溶媒（３）を送るための第２の抽出出口（１４）、を有する抽出セクションと、
リン酸塩が負荷された前記溶媒（３）とストリップ溶液（４）との間のリン酸塩の液−液抽出を実施するためのストリップセクション（２０）であって、前記第２の抽出出口（１４）へ接続されるリン酸塩が負荷された前記溶媒（３）を提供するための第１のストリップ入口、投入ストリップ溶液（４）の提供のための第２のストリップ入口（２４）、リン酸塩が少なくとも部分的に消費された前記溶媒を送るための第１のストリップ出口（２２）、及び産出ストリップ溶液（６）を送るための第２のストリップ出口（２３）を有するストリップセクションと、を備え、
前記第１のストリップ出口（２２）は、さらにリン酸塩を抽出するために、リン酸塩が少なくとも部分的に消費された前記溶媒（３）を再循環するために前記第２の抽出入口（１３）へ接続され、
前記ストリップ溶液（４）は、水性のリン酸アンモニウム溶液であり、
前記投入ストリップ溶液（４）における前記リン酸アンモニウムの少なくとも８０％がリン酸モノアンモニウムであること、及び、前記溶媒（３）は水不混和性アルコールであること、の少なくとも一方であり、
前記装置はさらに、
前記第２のストリップ出口（２３）に接続される、エンド処理装置（９０）に備えられるアンモニア源（６０）と、
前記アンモニア源（６０）に接続される添加装置（７０）と、
前記アンモニア源（６０）からアンモニアが前記ストリップ溶液の流れの少なくとも一部に添加される際に、生成された熱を冷却するように構成される冷却装置（５０）と、
負荷されたストリップ溶液から結晶を分離するように構成される沈殿除去器（４０）と、を備え、
前記添加装置（７０）は、前記アンモニア源から前記アンモニアが、前記沈殿除去器（４０）からの流れの少なくとも一部に添加されるように構成され、
前記装置はさらに、前記沈殿除去器（４０）の出口と前記ストリップセクション（２０）の前記第２のストリップ入口（２４）との間に接続され、沈殿除去器（４０）からのストリップ溶液（９）を前記投入ストリップ溶液（４）として再使用するように構成される再循環システム（８０）を備えることを特徴とする、装置。
【請求項２】
前記投入ストリップ溶液（４）における前記リン酸アンモニウムの少なくとも８０％が、リン酸モノアンモニウムであることを特徴とする、請求項１に記載の装置。
【請求項３】
前記投入ストリップ溶液（４）における前記リン酸アンモニウムの全てはリン酸モノアンモニウムであり、
前記装置はさらにリン酸ジアンモニウム供給装置（３５）及び混合反応容器（３０）を備え、
前記混合反応容器（３０）は、前記ストリップセクション（２０）の前記第２のストリップ出口（２３）と前記リン酸ジアンモニウム供給装置（３５）とへ接続され、リン酸ジアンモニウム溶液（５１）を前記ストリップセクション（２０）からの前記産出ストリップ溶液（６）の流れの少なくとも一部に混合するように構成され、
前記冷却装置（５０）は、前記負荷されたストリップ溶液の温度を、リン酸モノアンモニウムの飽和温度に満たないように維持して、リン酸モノアンモニウムの結晶が飽和リン酸モノアンモニウム溶液から沈殿するように構成され、
前記沈殿除去器（４０）は、前記リン酸モノアンモニウムの結晶を分離するように構成されることを特徴とする、請求項２に記載の装置。
【請求項４】
前記リン酸ジアンモニウム供給装置（３５）は前記添加装置（７０）を備え、
前記添加装置（７０）は、前記ストリップ溶液の流れの一部の供給のために、前記沈殿除去器（４０）に接続される入口を備え、
前記添加装置（７０）は、前記アンモニア源（６０）から前記アンモニアを前記ストリップ溶液の前記流れの一部へ添加してリン酸ジアンモニウムを含む溶液（５１）を形成するように構成され、
前記添加装置（７０）は、さらにリン酸ジアンモニウムを含む前記溶液（５１）を前記リン酸ジアンモニウム混合反応容器（３０）へ戻すように構成されることを特徴とする、請求項３に記載の装置。
【請求項５】
リン酸モノアンモニウムを含む前記負荷されたストリップ溶液（６）から発生する流れにアンモニアを添加して、飽和リン酸ジアンモニウム溶液からリン酸ジアンモニウムの結晶を沈殿させるように構成される、リン酸ジアンモニウム製造部を備えることを特徴とする、請求項４に記載の装置。
【請求項６】
前記溶媒は水不混和性アルコールであることを特徴とする、請求項１に記載の装置。
【請求項７】
前記投入ストリップ溶液（４）の組成を制御するように構成される混合制御ユニットを備え、前記混合制御ユニットは、前記投入ストリップ溶液（４）を、前記ストリップセクション（２０）においてリン酸塩が負荷された前記溶媒（３）に接触したときに、リン酸モノアンモニウム又はリン酸ジアンモニウムの結晶が沈殿することを妨ぐＮ／Ｐの比及びリン酸イオン濃度を有するよう制御するように構成されることを特徴とする、請求項２又は請求項６に記載の装置。
【請求項８】
前記投入ストリップ溶液（４）の組成を制御するように構成される混合制御ユニットを備え、前記混合制御ユニットは、前記投入ストリップ溶液（４）を、前記ストリップセクションにおいてリン酸塩が負荷された前記溶媒に接触したときに、リン酸モノアンモニウムの結晶が沈殿するＮ／Ｐの比及びリン酸イオン濃度を有するよう制御するように構成され、
前記ストリップセクションは３相ストリップセクションであり、
前記沈殿除去器は、前記ストリップセクションを出る前記負荷されたストリップ溶液から前記リン酸モノアンモニウムの結晶を分離するように構成される、
ことを特徴とする、請求項２又は請求項６に記載の装置。
【請求項９】
前記添加装置（７０）は、前記アンモニア源（６０）からアンモニアを前記ストリップ溶液の少なくとも一部に添加してリン酸ジアンモニウムを含む溶液を形成するように構成され、
前記添加装置（７０）は前記冷却装置（５０）を備え、
前記添加装置（７０）はさらに混合制御を備え、
前記混合制御は、前記Ｎ／Ｐの比を得るために、リン酸ジアンモニウムを含む前記溶液の流れに、前記沈殿除去器の前記出口からの前記ストリップ溶液の流れを混合するように構成される、
ことを特徴とする、請求項８に記載の装置。
【請求項１０】
前記投入ストリップ溶液（４）における前記リン酸アンモニウムの全てはリン酸ジアンモニウムであり、
前記装置は、
結晶の沈殿を生じることなく、前記溶媒から前記リン酸塩をストリップするために十分な前記投入ストリップ溶液のフローを提供するように構成される投入ストリップ溶液（４）フロー制御、
リン酸トリアンモニウムのスラリー（５１Ａ）を、前記ストリップセクション（２０）からの前記産出ストリップ溶液（６）へ混合するように構成されるリン酸トリアンモニウム供給装置（３５Ａ）、を備え、
前記冷却装置（５０）は、前記負荷されたストリップ溶液の温度を、リン酸ジアンモニウムの飽和温度に満たないように維持するように構成され、これにより、リン酸ジアンモニウムの結晶は、飽和リン酸ジアンモニウム溶液から沈殿し、
前記沈殿除去器（４０）は、前記リン酸ジアンモニウムの結晶を分離するように構成されることを特徴とする、請求項６に記載の装置。
【請求項１１】
前記装置は、前記投入ストリップ溶液（４）が前記ストリップセクション（２０）において、リン酸塩が負荷された前記溶媒（３）に接触したときに、リン酸モノアンモニウムを沈殿させるために十分低い前記投入ストリップ溶液（４）を提供するように構成される投入ストリップ溶液フロー制御を備え、
前記ストリップセクション（２０）は３相ストリップセクションであり、
前記沈殿除去器（４０）は、前記ストリップセクション（２０）を出る前記負荷されたストリップ溶液（６）から前記リン酸モノアンモニウムの結晶を分離するように構成され、
前記装置は、前記ストリップセクション（２０）の前記第２の出口（２３）へ接続され、及び前記沈殿除去器（４０）からの前記出口からのリン酸モノアンモニウム溶液によって、前記ストリップセクション（２０）を出る前記ストリップ溶液（６）における前記沈殿されたリン酸モノアンモニウムの結晶を洗浄するように構成される洗浄ボリューム（２５）とを備えることを特徴とする、請求項６に記載の装置。
【請求項１２】
前記添加装置（７０）は、前記ストリップセクション（２０）の前記第２のストリップ出口（２３）を出る前記ストリップ溶液（６）においてストリップされたリン酸塩の物質の量に依存する物質の量のアンモニアを前記添加装置（７０）へ添加するように構成されることを特徴とする、請求項１乃至請求項１１のいずれか１項に記載の装置。
【請求項１３】
純粋なリン酸アンモニウムの製造方法であって、前記方法は、
２％未満の、及び好ましくは１％以下の水溶解度を有する溶媒（５）への液−液抽出により、リン酸を含み本質的に硝酸イオンを含まない供給液（１）からリン酸塩を抽出する工程（２１０）と、
水性のリン酸アンモニウム溶液であるストリップ溶液（４）への液−液抽出により、前記溶媒から前記リン酸塩の少なくとも一部をストリップする工程（２１２）と、
ストリップされたリン酸塩が負荷された前記ストリップ溶液（６）と、リン酸塩が少なくとも部分的に消費された前記溶媒（５）と、を分離する工程（２１４）と、
前記抽出工程における更なるリン酸塩の抽出のために、リン酸塩が少なくとも部分的に消費された前記溶媒（５）を再循環する工程（２１６）であって、前記投入ストリップ溶液（４）中の前記リン酸アンモニウムの少なくとも８０％がリン酸モノアンモニウムであること、及び、前記溶媒（５）は水不混和性アルコールであること、の少なくとも１つである再循環する工程（２１６）と、
前記ストリップ溶液を含む流れの少なくとも一部にアンモニアを添加する工程（２２０）と、
前記アンモニアが前記ストリップ溶液の流れの前記少なくとも一部に添加される際に、生成された熱を冷却する工程（２２２）と、
負荷されたストリップ溶液から結晶を除去する工程（２２４）と、を備え、
アンモニアが添加される前記流れの少なくとも一部は、前記結晶を除去する工程（２２４）の後の流れの少なくとも一部であり、
前記方法は、前記結晶を除去する工程の後に、前記ストリップする工程において前記投入ストリップ溶液（４）として使用するために、前記ストリップ溶液を再循環する工程（２２６）を備えることを特徴とする、方法。
【請求項１４】
前記投入ストリップ溶液（４）における前記リン酸アンモニウムの少なくとも８０％が、リン酸モノアンモニウムであることを特徴とする、請求項１３に記載の方法。
【請求項１５】
前記投入ストリップ溶液（４）における前記リン酸アンモニウムの全てはリン酸モノアンモニウムであり、
前記方法はさらに、
リン酸ジアンモニウム溶液（５１）を、ストリップされたリン酸塩が負荷された前記ストリップ溶液（６）の流れの少なくとも一部に混合する工程と、
前記負荷されたストリップ溶液の温度をリン酸モノアンモニウムの飽和温度に満たないように維持する工程と、
リン酸モノアンモニウムの結晶を飽和リン酸モノアンモニウム溶液から沈殿させる工程と、を備え、
前記結晶を除去する工程（２２４）は、前記リン酸モノアンモニウムの結晶を分離する工程を含むことを特徴とする、請求項１４に記載の方法。
【請求項１６】
前記ストリップ溶液の前記流れの一部に前記アンモニアを添加してリン酸ジアンモニウムを含む溶液（５１）を形成する工程と、
リン酸ジアンモニウムを含む前記溶液（５１）を、ストリップされたリン酸塩が負荷される前記ストリップ溶液（６）へ戻す工程と、を備えることを特徴とする、請求項１５に記載の方法。
【請求項１７】
前記溶媒は水不混和性アルコールであることを特徴とする、請求項１３に記載の方法。
【請求項１８】
前記投入ストリップ溶液（４）の組成を制御する工程を備えることを特徴とする、請求項１４又は請求項１７に記載の方法。
【請求項１９】
前記添加する工程は、前記ストリップする工程の後に前記ストリップ溶液（６）においてストリップされたリン酸塩の物質の量に依存する物質の量のアンモニアを添加するように実施されることを特徴とする、請求項１３乃至請求項１８のいずれか１項に記載の方法。